(57)【要約】      （修正有）【課題】集中豪雨や大雪などにも耐えることができるし、切断及びベンディング作業を除去して設置期間を相当に縮めさせることができる栽培ハウスの骨組構造物を提供する。【解決手段】覆いに向ける骨組外面と栽培ハウスの内部に向ける骨組内面を含む直線形態の第１及び第２単位骨組Ｕ１，Ｕ２と、及び第１及び第２単位骨組Ｕ１，Ｕ２を連結するが、ベンディングされた形態で連結するメイン連結口３００と、を含んで、メイン連結口３００は、骨組外面を向ける第１縁が骨組内面を向ける第２縁に比べて長い形状を有する連結板３１０と、連結板３１０の一端部と第１単位骨組Ｕ１を締結させる第１締結ボルト３２０と、連結板３１０の他端部と第２単位骨組Ｕ２を締結させる第２締結ボルト３３０と、及び連結板３１０の一端から他端までにかけてその中心部分がその縁部分に比べて突き出された形状を有する補強部と、を含む栽培ハウスの骨組構造物。【選択図】図３
2019088280.tif 000002
【特許請求の範囲】
【請求項１】
覆いが覆われる栽培ハウスの骨組構造物であり、
前記覆いに向ける骨組外面と前記栽培ハウスの内部に向ける骨組内面を含む直線形態の第１及び第２単位骨組と、及び
前記第１及び第２単位骨組を連結するが、ベンディングされた形態で連結するメイン連結口と、を含んで、
前記メイン連結口は、
前記骨組外面を向ける第１縁が前記骨組内面を向ける第２縁に比べて長い形状を有する連結板と、
前記連結板の一端部と前記第１単位骨組を締結させる第１締結ボルトと、
前記連結板の他端部と前記第２単位骨組を締結させる第２締結ボルトと、及び
前記連結板の一端から他端までにかけてその中心部分がその縁部分に比べて突き出された形状を有する補強部と、
を含む栽培ハウスの骨組構造物。
【請求項２】
前記栽培ハウスの骨組構造物は、
前記第１締結ボルトが締結される前に前記連結板の位置を前記第１単位骨組にセッティングさせる位置セッティング部と、をさらに含むことを特徴とする請求項１に記載の栽培ハウスの骨組構造物。
【請求項３】
前記位置セッティング部は、
前記第１単位骨組に形成される位置設定孔と、及び
前記位置設定孔に挟まれるように前記連結板に形成されるエンボシング突起と、を含むことを特徴とする請求項２に記載の栽培ハウスの骨組構造物。
【発明の詳細な説明】
【技術分野】
【０００１】
本発明は、作物などを栽培することができる栽培ハウスの骨組構造物に関するものである。
【背景技術】
【０００２】
一般に、栽培ハウスは農家などで野菜類、花卉類または果樹類などの栽培に利用されるものであり、促成栽培または熱帯植物を栽培することができるという点で急速に発展して現在一番重要な園芸施設で落ち着いた。
【０００３】
このような栽培ハウスは、地面の上に一定間隔を置いて設置されておおよそ半円形でベンディング(bending)された複数の骨組パイプと、複数の骨組パイプがお互いに支持されるようにその間を連結する直線型の支持パイプと、複数骨組パイプの上を覆うビニールを含む。
【０００４】
特に、このような栽培ハウスは、その設置面積によってその大きさが変わらなければならないので設置作業者らによって直接現場で骨組パイプが加工されて設置される実情である。例えば、設置作業者らは設置面積及び該当栽培作物の高さなどを考慮して目分量で細い鋼パイプを一定長さで切断し、設置面積及び該当栽培作物の高さなどを再び考慮して目分量でその切断した鋼パイプをベンディングするようになる。ここで、鋼パイプのベンディング作業は設置作業者らによって直接なされるか、または別途のベンディングマシン(bending machine)を通じてなされる。
【０００５】
しかし、このような栽培ハウスは、その骨組みをなす細い骨組パイプが大きい荷重を支持し難い構造になっていて、夏季の強い風を伴った集中豪雨時や冬季の大雪によって易しく曲がるか、または崩れて農家に相当な被害を与えている実情である。
【０００６】
また、複数の骨組パイプが設置作業者らによって直接現場で目分量で加工されて設置されるので、栽培ハウスを設置するのに必要となる期間が相当に長く、これは人件費の増加につながって農家に相当な負担になっている。また、設置作業者らの熟練度によって栽培ハウスの完成度が変わることがある。
【発明の概要】
【発明が解決しようとする課題】
【０００７】
本発明の技術的課題は、集中豪雨や大雪などにも耐えることができるし、切断及びベンディング作業を除去して設置期間を相当に縮めさせることができる栽培ハウスの骨組構造物を提供することである。
【課題を解決するための手段】
【０００８】
前記目的を達成するために、本発明の実施例による栽培ハウスの骨組構造物は、覆いが覆われる栽培ハウスの骨組構造物であり、前記覆いに向ける骨組外面と前記栽培ハウスの内部に向ける骨組内面を含む直線形態の第１及び第２単位骨組と、及び前記第１及び第２単位骨組を連結するが、ベンディングされた形態で連結するメイン連結口と、を含んで、前記メイン連結口は、前記骨組外面を向ける第１縁が前記骨組内面を向ける第２縁に比べて長い形状を有する連結板と、前記連結板の一端部と前記第１単位骨組を締結させる第１締結ボルトと、前記連結板の他端部と前記第２単位骨組を締結させる第２締結ボルトと、及び前記連結板の一端から他端までにかけてその中心部分がその縁部分に比べて突き出された形状を有する補強部を含む。
【０００９】
前記連結板は扇形形状を有することができる。
【００１０】
前記補強部はプレス加工を通じてコ字形態で突き出されることができる。
【００１１】
前述した本発明の実施例による栽培ハウスの骨組構造物は、前記第１締結ボルトが締結される前に前記連結板の位置を前記第１単位骨組にセッティングさせる位置セッティング部をさらに含むことができる。
【００１２】
前記位置セッティング部は、前記第１単位骨組に形成される位置設定孔と、及び前記位置設定孔に挟まれるように前記連結板に形成されるエンボシング突起と、を含むことができる。
【００１３】
前記エンボシング突起は、プレス加工を通じてふくらんでいるように突き出されることができる。
【００１４】
前述した本発明の実施例による栽培ハウスの骨組構造物は、前記第１及び第２単位骨組が連結されてなされた第１列骨組と、前記第１列骨組と間隔を置いて具備される第２列骨組と、前記第１列骨組と前記第２列骨組を連結するサイド連結口と、をさらに含むことができる。
【００１５】
前記サイド連結口は、前記連結板に折曲されて前記骨組外面に対向するサイド連結ブラケットと、及び前記サイド連結ブラケットに第３締結ボルトによって締結されるサイドバーと、を含むことができる。
【００１６】
前記サイドバーは中が空いた四角柱形状を有することができる。
【００１７】
前記サイドバーの第１面には前記第３締結ボルトの頭が通過される頭通過孔が形成されることができるし、前記サイドバーのうちで前記第１面に対向する第２面には前記第３締結ボルトの頭が通過されない締結孔が形成されることができる。
【００１８】
前記第１及び第２単位骨組それぞれは二重フレーム構造を有することができる。
【００１９】
前記第１及び第２単位骨組それぞれは、前記骨組外面をなす第１フレームと、前記骨組内面をなす第２フレームと、及び前記第１及び第２フレームを結束させる複数の結束ブラケットを含むことができる。
【００２０】
前記複数の結束ブラケットはジグザグ形態で配置されることができる。
【００２１】
前記第１及び第２フレームそれぞれはコ字形状の断面を有して、その内面がお互いに向い合う方向に置かれることができる。
【発明の効果】
【００２２】
以上でのように、本発明の実施例による栽培ハウスの骨組構造物は次のような効果を有することができる。
【００２３】
本発明の実施例によれば、細いパイプ形態ではない骨組外面と骨組内面を有する第１及び第２単位骨組を提供するので、集中豪雨や大雪などにも充分に耐えることができる。そして、分離された形態の第１及び第２単位骨組を提供するので、工場で既に製作された状態で設置場所に提供することができて設置場所での別途の切断作業が必要なくて、第１及び第２単位骨組がベンディング(bending)された状態に置かれるようにするメイン連結口を提供するので、設置場所での別途のベンディング作業が必要なくて、設置期間を相当に縮めさせることができる。特に、メイン連結口にはメイン連結口の剛性を補強するための補強部が具備されるので、本発明の栽培ハウスの骨組構造物の剛性をさらに補強することができる。
【００２４】
また、本発明の実施例によれば、位置セッティング部が具備されるので、締結ボルトが締結される前に連結板の位置を単位骨組にセッティングさせることができて、連結作業が容易である。
【００２５】
また、本発明の実施例によれば、第１及び第２列骨組を連結するために中が空いた四角柱形状のサイドバーを採用してもサイドバーの第１面に締結ボルトの頭が通過される頭通過孔が形成される技術構成を提供するので、このような第１面に形成された頭通過孔を通じて第１面に対向する第２面の締結孔に締結ボルトを容易に締結することができる。
【００２６】
また、本発明の実施例によれば、単位骨組を作るためにこの骨組外面をなす第１フレームとこの骨組内面をなす第２フレームを複数の結束ブラケットでジグザグ形態で結束させる技術構成を提供するので、トラス構造(truss structure)をなすことができて単位骨組がしなわないで多様な方向に加えられる荷重を効果的に支持することができる。
【図面の簡単な説明】
【００２７】
【図１】本発明の一実施例による栽培ハウスの骨組構造物を概略的に示した正面図である。
【図２】図１の栽培ハウスの骨組構造物のうちで単位骨組を概略的に示した斜視図である。
【図３】第１及び第２単位骨組がメイン連結口によって連結された状態を概略的に示す斜視図である。
【図４】図３のメイン連結口をIV-IV線で切って見た断面図である。
【図５】第３及び第４単位骨組がメイン中心連結口によって連結された状態を概略的に示す斜視図である。
【発明を実施するための形態】
【００２８】
以下、添付した図面を参照にして本発明の実施例に対して本発明が属する技術分野で通常の知識を有した者が容易に実施できるように詳しく説明する。しかし、本発明はいろいろ相異な形態で具現されることができるし、ここで説明する実施例に限定されない。
【００２９】
図１は、本発明の一実施例による栽培ハウスの骨組構造物を概略的に示した正面図であり、図２は図１の栽培ハウスの骨組構造物のうちで単位骨組を概略的に示した斜視図であり、図３は第１及び第２単位骨組がメイン連結口によって連結された状態を概略的に示す斜視図であり、そして、図４は図３のメイン連結口をIV-IV線で切って見た断面図である。図５は第３及び第４単位骨組がメイン中心連結口によって連結された状態を概略的に示す斜視図である。
【００３０】
本発明の一実施例による栽培ハウスの骨組構造物(Ｓ)は、図１乃至図４に示されたように、第１及び第２単位骨組Ｕ１、Ｕ２とメイン連結口３００を含む。以下、図１乃至図４を続いて参照し、各構成要素に対して詳しく説明する。
【００３１】
第１及び第２単位骨組Ｕ１、Ｕ２は、図１乃至図３に示されたように、それぞれ直線形態を有するので、プラスチック、硝子、ビニルなどの覆い(図示せず)(すなわち、ハウスの外部)に向ける骨組外面１１１とハウスの内部に向ける骨組内面１２１を含む。具体的に、第１及び第２単位骨組Ｕ１、Ｕ２それぞれは強度を補強するために二重フレーム構造を有することができる。二重フレーム構造の例として、第１及び第２単位骨組Ｕ１、Ｕ２それぞれは、図２に示されたように、骨組外面１１１をなす第１フレーム１１０と、骨組内面１２１をなす第２フレーム１２０と、そして第１及び第２フレーム１１０、１２０を結束させる結束ブラケット１３０を含むことができる。延いては、第１及び第２フレーム１１０、１２０それぞれは、強度をさらに補強するために図２に示されたようにコ字形状の断面を有し、その内面がお互いに向い合う方向に置かれることができる。また、結束ブラケット１３０は、一例で図１及び図３に示されたように第１及び第２フレーム１１０、１２０にジグザグ形態で横切って配置されることもでき、他の例で図２に示されたように第１及び第２フレーム１１０、１２０に垂直で横切って置かれることもできて、また他の例で図示されなかったが第１及び第２フレーム１１０、１２０に“X”字形態で横切って置かれることもできる。
【００３２】
したがって、このような第１及び第２単位骨組Ｕ１、Ｕ２が従来の細いパイプに比べて小さな大きさを有して直線形態で提供されるので、運びが容易である。また、細いパイプ形態ではない骨組外面１１１と骨組内面１２１を有する第１及び第２単位骨組Ｕ１、Ｕ２を提供するので、集中豪雨や大雪などにも充分に耐えることができる。また、分離された形態の第１及び第２単位骨組Ｕ１、Ｕ２を提供するので、工場で既に製作された状態で設置場所に提供することができて、設置場所での別途の切断作業が必要なくて設置期間を相当に縮めさせることができる。また、複数の結束ブラケット１３０がジグザグ形態で配置される場合、トラス構造(truss structure)をなすことができて単位骨組がしなわないで多様な方向に加えられる荷重をさらに効果的に支持することができる。
【００３３】
メイン連結口３００は、図１及び図３に示されたように、第１及び第２単位骨組Ｕ１、Ｕ２を連結するが、ベンディングされた形態で連結する。すなわち、メイン連結口３００の一端は第１単位骨組(Ｕ１)の端部に連結され、メイン連結口３００の他端は第２単位骨組Ｕ２の端部に連結される方式で、第１及び第２単位骨組Ｕ１、Ｕ２がメイン連結口３００によって連結される。
【００３４】
より具体的に、メイン連結口３００は、図１及び図３に示されたように、連結板３１０、第１締結ボルト３２０、第２締結ボルト３３０、そして補強部３４０を含むことができる。
【００３５】
連結板３１０は、骨組外面１１１を向ける第１縁が骨組内面１２１を向ける第２縁に比べて長い形状を有することができる。例えば、連結板３１０はおおよそ扇形形状を有することができる。言い換えれば、図１及び図３に示されたように、連結板３１０はその中心部が骨組外面１１１を向けてふくらんでいるように湾曲された形状を有することができる。よって、このような湾曲された形状によって連結板３１０によって第１及び第２単位骨組Ｕ１、Ｕ２が連結される場合その境界部がベンディング(bending)された状態に置かれるようになるので、設置場所での別途のベンディング作業が必要なくて、設置期間を相当に縮めさせることができる。
【００３６】
第１締結ボルト３２０は連結板３１０の一端部と第１単位骨組(Ｕ１)を締結させることができるし、第２締結ボルト３３０は連結板３１０の他端部と第２単位骨組(Ｕ２)を締結させることができる。図示されなかったが、連結板３１０の一端部と他端部、そして第１及び第２単位骨組Ｕ１、Ｕ２には第１及び第２締結ボルト３２０、３３０が締結されるための通過孔(図示せず)と締結孔(図示せず)がそれぞれ形成されることができる。
【００３７】
補強部３４０は、図３及び図４に示されたように、連結板３１０の一端から他端までにかけてその中心部分がその縁部分に比べて突き出された形状を有することができる。例えば、補強部３４０は、図４に示されたように、プレス加工を通じてコ字形態で突き出されることができる。よって、このような補強部３４０を通じて本発明の栽培ハウスの骨組構造物(Ｓ)の剛性をさらに補強することができる。
【００３８】
これと併せて、前述した本発明の一実施例による栽培ハウスの骨組構造物(Ｓ)は、図３及び図４に示されたように、位置セッティング部４００をさらに含むことができる。このような位置セッティング部４００は第１締結ボルト３２０が締結される前に連結板３１０の位置を第１単位骨組(Ｕ１)にセッティングさせる役割をすることができる。
【００３９】
例えば、位置セッティング部４００は、図４に示されたように、第１単位骨組(Ｕ１)に形成される位置設定孔４１０とこれに挟まれるように連結板３１０に形成されるエンボシング突起４２０を含むことができる。よって、第１締結ボルト３２０が締結される前に連結板３１０の位置を第１単位骨組(Ｕ１)にセッティングさせることができて、連結作業が容易である。
【００４０】
ここで、エンボシング突起４２０はプレス加工などを通じてふくらんでいるように突き出されることができる。一方、このような位置セッティング部４００は第２単位骨組(Ｕ２)と連結板３１０の他端部にも等しく構成されることができる。
【００４１】
これと併せて、前述した本発明の一実施例による栽培ハウスの骨組構造物(Ｓ)は、図１及び図３に示されたように、第１及び第２単位骨組Ｕ１、Ｕ２が連結されてなされた第１列骨組(Ｌ１)と、第１列骨組(Ｌ１)と間隔を置いて具備される第２列骨組(Ｌ２)と、そして第１列骨組(Ｌ１)と第２列骨組(Ｌ２)を連結するサイド連結口5００をさらに含むことができる。
【００４２】
サイド連結口(５００)は、図３に示されたように、連結板３１０に折曲されて骨組外面１１１に対向するサイド連結ブラケット５１０と、そしてサイド連結ブラケット５１０に第３締結ボルト５３０によって締結されるサイドバー５２０を含むことができる。
【００４３】
延いては、剛性を高めるため、図３に示されたように、サイドバー５２０は中が空いた四角柱形状を有することができる。特に、サイドバー５２０の第１面には第３締結ボルト５３０の頭が通過される頭通過孔５２１が形成されることができるし、サイドバー５２０のうち第１面に対向する第２面には第３締結ボルト５３０の頭が通過されない締結孔(図示せず)が形成されることができる。よって、中が空いた四角柱形状のサイドバー５２０を採用してもサイドバー５２０のうち第１面に形成された頭通過孔５２１を通じて第１面に対向する第２面の締結孔(図示せず)に第３締結ボルト(５３０)を容易に締結することができる。
【００４４】
これと併せて、前述した本発明の一実施例による栽培ハウスの骨組構造物(Ｓ)は、図１及び図４に示されたように、メイン中心連結口６００をさらに含むことができる。
【００４５】
メイン中心連結口６００は、図４に示されたように、骨組外面１１１を向ける一番高い部分が陷沒された形状(６００a参照)を有することを除き上述したメイン連結口３００と等しい。ここで、メイン中心連結口６００の一番高い部分が陷沒された理由は、サイドバー５２０が位置されても骨組外面１１１に覆われる覆い(図示せず)との干渉を防止するためである。
【００４６】
以上でのように、本発明の一実施例による栽培ハウスの骨組構造物(Ｓ)は、次のような効果を有することができる。
【００４７】
本発明の一実施例によれば、細いパイプ形態ではない骨組外面１１１と骨組内面１２１を有する第１及び第２単位骨組Ｕ１、Ｕ２を提供するので、集中豪雨や大雪などにも充分に耐えることができる。そして、分離された形態の第１及び第２単位骨組Ｕ１、Ｕ２を提供するので工場で既に製作された状態で設置場所に提供することができて設置場所での別途の切断作業が必要なくて、第１及び第２単位骨組Ｕ１、Ｕ２がベンディング(bending)された状態に置かれるようにするメイン連結口３００が提供するので、設置場所での別途のベンディング作業が必要なくて、設置期間を相当に縮めさせることができる。特に、メイン連結口３００にはメイン連結口３００の剛性を補強するための補強部３４０が具備されるので、本発明の栽培ハウスの骨組構造物(Ｓ)の剛性をさらに補強することができる。
【００４８】
また、本発明の一実施例によれば、位置セッティング部４００が具備されるので、締結ボルト３２０、３３０が締結される前に連結板３１０の位置を単位骨組Ｕ１、U２にセッティングさせることができて、連結作業が容易である。
【００４９】
また、本発明の一実施例によれば、第１及び第２列骨組Ｌ１、Ｌ２を連結するために中が空いた四角柱形状のサイドバー５２０を採用してもサイドバー５２０の第１面に第３締結ボルト５３０の頭が通過される頭通過孔５２１が形成される技術構成を提供するので、このような第１面に形成された頭通過孔５２１を通じて第１面に対向する第２面の締結孔に第３締結ボルト５３０を容易に締結することができる。
【００５０】
また、本発明の一実施例によれば、単位骨組Ｕ１、U２を作るためにこの骨組外面１１１をなす第１フレーム１１０とこの骨組内面１２１をなす第２フレーム１２０を複数の結束ブラケット１３０でジグザグ形態で結束させる技術構成を提供するので、トラス構造をなすことができて単位骨組Ｕ１、U２がしなわないで多様な方向に加えられる荷重を効果的に支持することができる。
【００５１】
以上で本発明の望ましい実施例に対して詳細に説明したが、本発明の権利範囲はこれに限定されるものではなく、次の請求範囲で定義している本発明の基本概念を利用した当業者の多くの変形及び改良形態も本発明の権利範囲に属するものである。
【符号の説明】
【００５２】
Ｓ  栽培ハウスの骨組構造物
Ｕ１  第１単位骨組
Ｕ２  第２単位骨組
Ｌ１  第１列骨組
Ｌ２  第２列骨組
３００  メイン連結口
３１０  連結板
３２０  第１締結ボルト
３３０  第２締結ボルト
３４０  補強部
４００  位置セッティング部
４１０  位置設定孔
４２０  エンボシング突起
５００  サイド連結口
５１０  サイド連結ブラケット
５２０  サイドバー
５２１  頭通過孔
【図１】
2019088280.tif 000003
【図２】
2019088280.tif 000004
【図３】
2019088280.tif 000005
【図４】
2019088280.tif 000006
【図５】
2019088280.tif 000007